(57)【要約】【課題】施工作業の煩雑化を抑制しながら、火気の使用を制限されている領域を形成しているような既設トラス架構に対してでも作業性良く施工できるようにする。【解決手段】補強部材１を既設トラス架構Ａに固定して、その既設トラス架構を補強してある既設トラス架構補強構造であって、既設トラス架構を構成している架構構成部材３１を挟持することにより、その既設トラス架構に固定するクランプ部材２１を介して、補強部材を既設トラス架構に固定してある。【選択図】図６
2007303066.tif 000002
【特許請求の範囲】
【請求項１】
補強部材を既設トラス架構に固定して、その既設トラス架構を補強してある既設トラス架構補強構造であって、
前記既設トラス架構を構成している架構構成部材を挟持することにより、その既設トラス架構に固定するクランプ部材を介して、前記補強部材を前記既設トラス架構に固定してある既設トラス架構補強構造。
【請求項２】
前記既設トラス架構が、屋根を支えるために構築したものであり、
前記補強部材が、前記クランプ部材にボルト連結されて、前記既設トラス架構を下側から支持する補強架構である請求項１記載の既設トラス架構補強構造。
【請求項３】
前記既設トラス架構が、複数のトラスを並設して互いに連結して構築したものであり、
前記補強部材が、隣り合う前記トラスどうしを繋ぐものである請求項１記載の既設トラス架構補強構造。
【請求項４】
前記補強部材がブレースを備えている請求項１〜３のいずれか１項記載の既設トラス架構補強構造。
【発明の詳細な説明】
【技術分野】
【０００１】
本発明は、補強部材を既設トラス架構に固定して、その既設トラス架構を補強してある既設トラス架構補強構造に関する。
【背景技術】
【０００２】
上記既設トラス架構補強構造は、既設トラス架構の例えば耐震性の向上を図るために、補強部材を既設トラス架構に固定して、その既設トラス架構を補強してあり、従来、補強部材を既設トラス架構に固定するために、補強部材の取り付け用ピースを、既設トラス架構を構成している架構構成部材にボルトや溶接で固定して、その取り付け用ピースに鋼棒などの補強部材を固定してある（例えば、特許文献１参照）。
【０００３】
【特許文献１】特開平９−２６８６４９号公報
【発明の開示】
【発明が解決しようとする課題】
【０００４】
このため、取り付け用ピースを架構構成部材にボルト固定してある場合は、施工時において、架構構成部材にボルト孔を開けるなどの作業が必要となり、取り付け用ピースを架構構成部材に溶接固定してある場合は、施工時において、架構構成部材に取り付け用ピースを溶接する作業が必要となり、いずれの場合も、施工作業が煩雑化する欠点がある。
また、施工時にボルト孔の穿孔作業を伴う場合は切り粉が落下し易く、施工時に溶接作業を伴う場合は火花や溶けたスラグなどが落下し易いので、いずれも、施工現場の養生のためにも施工作業が煩雑化する欠点があり、特に、施工時に溶接作業を伴う補強工事は、火気使用を制限されている領域を形成しているような既設トラス架構に対して作業性良く施工できない欠点がある。
本発明は上記実情に鑑みてなされたものであって、施工作業の煩雑化を抑制しながら、火気の使用を制限されている領域を形成しているような既設トラス架構に対してでも作業性良く施工できるようにすることを目的とする。
【課題を解決するための手段】
【０００５】
本発明の第１特徴構成は、補強部材を既設トラス架構に固定して、その既設トラス架構を補強してある既設トラス架構補強構造であって、前記既設トラス架構を構成している架構構成部材を挟持することにより、その既設トラス架構に固定するクランプ部材を介して、前記補強部材を前記既設トラス架構に固定してある点にある。
【０００６】
〔作用及び効果〕
既設トラス架構を構成している架構構成部材を挟持することにより、その既設トラス架構に固定するクランプ部材を介して、補強部材を既設トラス架構に固定してあるので、補強部材の取り付け用ピースなどを架構構成部材にボルトや溶接で固定することなく、つまり、施工時において、架構構成部材にボルト孔を開けたり、架構構成部材に対して溶接したりすることなく、架構構成部材をクランプ部材で挟持して、そのクランプ部材を介して補強部材を既設トラス架構に固定することができる。
従って、施工作業の煩雑化を抑制しながら、火気の使用を制限されている領域を形成しているような既設トラス架構に対してでも作業性良く施工できる。
【０００７】
本発明の第２特徴構成は、前記既設トラス架構が、屋根を支えるために構築したものであり、前記補強部材が、前記クランプ部材にボルト連結されて、前記既設トラス架構を下側から支持する補強架構である点にある。
【０００８】
〔作用及び効果〕
屋根を支えるために構築してある既設トラス架構を、クランプ部材にボルト連結された補強架構で下側から支持できるので、クランプ部材と補強架構とを溶接などで一体化してある場合に比べて、補強架構の運搬や取り扱いが容易になる。
【０００９】
本発明の第３特徴構成は、前記既設トラス架構が、複数のトラスを並設して互いに連結して構築したものであり、前記補強部材が、隣り合う前記トラスどうしを繋ぐものである点にある。
【００１０】
〔作用及び効果〕
補強部材が、既設トラス架構を構築するために並設してある複数のトラスどうしを繋ぐものであるので、トラスどうしの連結強度を補強できる。
【００１１】
本発明の第４特徴構成は、前記補強部材がブレースを備えている点にある。
【００１２】
〔作用及び効果〕
補強部材がブレースを備えているので、補強部材や既設トラス架構の変形を防止できる。
【発明を実施するための最良の形態】
【００１３】
以下に本発明の実施の形態を図面に基づいて説明する。
〔第１実施形態〕
図１，図２は、補強部材１で補強する前の、屋根を支えるために構築してある既設トラス架構Ａを示し、複数のトラス（以下、既設トラスという）２を繋ぎ材３で互いに連結するとともに、各既設トラス２毎に二本の柱４で支持して構成してあり、各既設トラス２は、鋼製円管からなる上弦材５と鋼製円管からなる下弦材６とを束材７と斜材８とで互いに連結してある。
【００１４】
図３，図４は、上記既設トラス架構Ａの耐震性向上を図るために、本発明による既設トラス架構補強構造で補強してある補強済みトラス架構を示し、左右両端の既設トラス２ａと中央の既設トラス２ａとの各々に補強部材１としての補強架構９を設置するとともに、各既設トラス２の上弦材５どうしを補強部材１としての水平ブレース１０で連結して、既設トラス架構Ａを補強してある。
【００１５】
前記補強架構９は、図５，図６にも示すように、Ｈ型鋼で形成してある矩形下枠１３の内側にブレース１４を設けてある下部トラス１１と、Ｈ型鋼で形成してある矩形上枠１５の内側にブレース１４を設けてある一対の上部トラス１２とを備え、下部トラス１１の上部と一対の上部トラス１２の下部とをトラス連結板１６で一体に連結して構成してある。
そして、下部トラス１１を躯体側の基礎梁１７にケミカルアンカー１８で固定し、一対の上部トラス１２を既設トラス２ａにその左右両側を挟むように配置して固定してある。
【００１６】
前記上部トラス１２の各々は、長手方向両端部の各々おいて、既設トラス架構Ａを構成している架構構成部材３１である既設トラス２ａの上弦材５を挟持することにより、その既設トラス架構Ａに固定される上弦クランプ部材１９と、架構構成部材３１である既設トラス２ａの下弦材６を挟持することにより既設トラス架構Ａに固定される下弦クランプ部材２０との二つのクランプ部材２１を介して、既設トラス架構Ａに固定してある。
【００１７】
前記上弦クランプ部材１９は、図７に示すように、上弦材５の外周形状に沿う半割円弧状の凹面を形成してある凹面部２２とその左右両側のフランジ部２３とを一体に備えている一対の挟持部材２４で構成してあり、各凹面部２２で上弦材５を上下方向から挟み込んでフランジ部２３どうしを対向させると共に、各上部トラス１２の上部枠部材２５に溶接固定してある固定用板材２６を上下のフランジ部２３どうしの間に挟み込み、各フランジ部２３と固定用板材２６とに亘って挿通したボルト・ナット２７を締め込んで、上弦クランプ部材１９と各上部トラス１２とを共締め状態で上弦材５に一体に固定してある。
【００１８】
前記下弦クランプ部材２０は、図８に示すように、上弦クランプ部材１９と同様構造の、下弦材６を上下方向から挟む一対の挟持部材２４で構成してあり、下弦材６を下側から挟む下側挟持部材２４ａをトラス連結板１６に溶接固定しておいて、下弦材６の下側に下側挟持部材２４ａの凹面部２２を入り込ませた状態で、上側挟持部材２４ｂの凹面部２２で下弦材６を挟み込んでフランジ部２３どうしを対向させ、上下のフランジ部２３に亘って挿通したボルト・ナット２７を締め込んで、下弦クランプ部材２０を下弦材６に一体に固定してある。
【００１９】
前記水平ブレース１０は、図９にも示すように、その端部にねじ込んであるナット２８でブレース固定板２９に固定してあり、既設トラス２ａの上弦材５を挟持することにより既設トラス架構Ａに固定されるブレース用クランプ部材３０（２１）を介して、ブレース固定板２９を既設トラス架構Ａに固定することにより、各水平ブレース１０を上弦材５に連結してある。
【００２０】
前記ブレース用クランプ部材３０は、図１０に示すように、上弦クランプ部材１９と同様構造の、上弦材５を上下方向から挟む一対の挟持部材２４を設けて構成してあり、一本の水平ブレース１０を固定してあるブレース固定板２９ａについては一つのブレース用クランプ部材３０を使用して、また、二本の水平ブレース１０を固定してあるブレース固定板２９ｂについては二つのブレース用クランプ部材３０を使用して、各凹面部２２で上弦材５を上下方向から挟みこんでフランジ部２３どうしを対向させると共に、ブレース固定板２９を対向するフランジ部２３どうしの間に挟み込み、各フランジ部２３とブレース固定板２９とに亘って挿通したボルト・ナット２７を締め込んで、ブレース用クランプ部材３０とブレース固定板２９とを共締め状態で上弦材５に一体に固定してある。
【００２１】
〔第２実施形態〕
図１１は、本発明による既設トラス架構補強構造の別実施形態を示し、架構構成部材３１としてのＨ形鋼製の上弦材５を挟持するブレース用クランプ部材３０（２１）を、上弦材（Ｈ形鋼）５のフランジ３２に押し付ける押圧板部３３と、その左右両側の側板部３４と、その側板部３４から延設してあるフランジ部２３とを備えた一対の挟持部材２４で構成してある。
【００２２】
前記挟持部材２４の各々は、図１２に示すように、一連の鋼製薄板材を屈曲させて押圧板部３３と側板部３４とフランジ部２３とを形成してあり、押圧板部３３のフランジ３２側に対向させる面が左右の側板部３４の間に突出するように、押圧板部３３を予め湾曲させてある。
【００２３】
そして、フランジ部２３どうしが対向するように押圧板部３３で上弦材（Ｈ形鋼）５をフランジ３２側から挟み込むと共に、対向するフランジ部２３どうしの間にブレース固定板２９を挟み込み、各フランジ部２３とブレース固定板２９とに亘って挿通したボルト・ナット２７を、押圧板部３３を弾性変形させながら締め込んで、ブレース用クランプ部材３０とブレース固定板２９とを共締め状態で、かつ、押圧板部３３をフランジ３２に対して強く押し付けた状態で上弦材（Ｈ形鋼）５に一体に固定してある。
その他の構成は第１実施形態と同様である。
【００２４】
〔その他の実施形態〕
１．本発明による既設トラス架構補強構造は、横断面形状がＬ形やＴ形の架構構成部材や、平板の架構構成部材を挟持することにより既設トラス架構に固定するクランプ部材を設けてあっても良い。
２．本発明による既設トラス架構補強構造は、クランプ部材と補強部材とを溶接などで予め一体に設けてあっても良い。
３．本発明による既設トラス架構補強構造は、一対の挟持部材を互いに揺動自在に連結して、挟持状態と挟持解除状態とに切り換え自在に構成してあるクランプ部材を設けてあっても良い。
【図面の簡単な説明】
【００２５】
【図１】既設トラス架構の概略平面図
【図２】既設トラス架構の概略側面図
【図３】補強済み既設トラス架構の概略平面図
【図４】補強済み既設トラス架構の概略側面図
【図５】補強済み既設トラス架構の要部概略側面図
【図６】要部の正面図
【図７】要部の分解斜視図
【図８】要部の分解斜視図
【図９】要部の正面図
【図１０】要部の分解斜視図
【図１１】第２実施形態を示す要部の正面図
【図１２】第２実施形態を示す要部の正面図
【符号の説明】
【００２６】
１  補強部材
２  トラス
９  補強架構
１０  ブレース
１４  ブレース
２１  クランプ部材
３１  架構構成部材
Ａ  既設トラス架構
【図１】
2007303066.tif 000003
【図２】
2007303066.tif 000004
【図３】
2007303066.tif 000005
【図４】
2007303066.tif 000006
【図５】
2007303066.tif 000007
【図６】
2007303066.tif 000008
【図７】
2007303066.tif 000009
【図８】
2007303066.tif 000010
【図９】
2007303066.tif 000011
【図１０】
2007303066.tif 000012
【図１１】
2007303066.tif 000013
【図１２】
2007303066.tif 000014